(57)【要約】【課題】本発明は、扱いが簡単で配線、配管の太さに関わらず結束支持可能である配線配管支持具を提供することを目的としている。【解決手段】本発明に係る配線２や配管の支持方法は、分電盤の基台にはねじ固定部３を設け、可撓性材を湾曲し支持部１ａを形成した支持具１をねじ固定部３にて分電盤内部にねじ止め固定し、支持部１ａの向きが変更可能で、配線２や配管を上方から支持したり、下方から支持したり、任意の方向で支持可能とすることを特徴とする。【選択図】　　　　図１
2004088879.tif 000002
【特許請求の範囲】
【請求項１】
分電盤等に入出線されるケーブルの配線や配管を分電盤上で結束または支持するための配線配管の支持方法であって、前記分電盤の基台にはねじ固定部を設け、可撓性材を湾曲し支持部を形成した支持具を前記ねじ固定部にて分電盤内部にねじ止め固定することを特徴とする配線配管の支持方法。
【請求項２】
前記配線配管の支持方法であって、前記分電盤の基台には入出線孔近傍に開口を設けると共に該開口周縁部には補強リブを形成し、前記開口に結束バンドを挿通し、前記基台の裏面には前記結束バンドを突出させないために凹部を形成し、前記結束バンドで電線や配管を結束することを特徴とする配線配管の支持方法。
【発明の詳細な説明】
【０００１】
【発明の属する技術分野】
本発明は、分電盤等に入出線されるケーブルの配線や配管を分電盤上で結束または支持するための配線配管の支持方法に関する。
【０００２】
【従来の技術】
従来、図７に示すように、配線３１や配管を分電盤上で結束または支持するためには、略中央部にバンド挿通孔３２を有する結束具３３を分電盤の平坦な部分に取り付け、バンド挿通孔３２に結束バンド３４を挿通し、この結束バンド３４で配線３１や配管を束ねたり、支持したりしていた。また、分電盤に配管する場合の配管支持の別の方法として、分電盤の本体に配管用に、配管に対向する形状、大きさの貫通穴３５を専用に設け、その貫通穴３５に樹脂管３６を挿入しコネクタ３７等で固定していた。
【０００３】
【発明が解決しようとする課題】
しかしながら、上記従来技術における配線や配管の結束方法では、一旦結束固定してしまうとやり直しができないため、結束に熟練が必要であると共に、結束後は、配線や配管の向きを変更することができず、不便であった。また、配管のために専用穴を設ける方法では、分電盤への入線方法が限定されてしまい、必ずしも専用穴が使われるわけではないのに、その都度穴を明けたりすることは繁雑な作業であった。
【０００４】
また、分電盤内に入線した場合、電線を結束する場所が少なく、配線等を収まりよく収納することが困難であった。また、配管した場合も同様に、樹脂管にコネクタ等で固定できる部分がなく、不安定であった。
【０００５】
【課題を解決するための手段】
そこで本発明は、扱いが簡単で配線、配管の太さに関わらず結束支持可能である配線配管支持具を提供することを目的とし、その構造は、分電盤の基台にはねじ固定部を設け、可撓性材を湾曲し支持部を形成した支持具をねじ固定部にて分電盤内部にねじ止め固定することを特徴とする。
【０００６】
また、分電盤の基台には開口を設けると共に開口周縁部には補強リブを形成し、開口に結束バンドを挿通し、基台の裏面には結束バンドを突出させないために凹部を形成し、結束バンドで電線や配管を結束することを特徴とする。
【０００７】
【発明の実施の形態】
本発明に係る配線配管支持具は、可撓性の材料で構成されたピアノ線のような線状のばね鋼をクランプ状に支持部を形成する。分電盤の基台には、ねじ固定部を形成し、配線配管支持具の端部をねじ固定部にてねじで締め付け固定する。支持具は、その材料の特徴から、配線や配管の太さが異なっても、確実に支持できると共に、一旦分電盤に固定してからも、自在に支持具の向きを変えることができる。
【０００８】
また、分電盤の基台には開口を設け、開口には結束バンドを挿通する。配線や配管を結束したあと、結束バンドの一端を、他端に設けられた留め部に差し込み、固定する。結束作業も容易であると共に、分電盤内での配線や配管の収まりがよく収納することができる。
【０００９】
【実施例】
本発明に係る配線や配管の支持方法の実施例を図１〜図３の添付図面に基づいて説明する。
【００１０】
本発明に係る配線や配管の支持方法は、支持具１で分電盤に配線や配管された電線２や樹脂管を分電盤内で適宜結束、支持するものである。支持具１は可撓性の材料によるピアノ線状のばね鋼をクランプ状に成型し、そのクランプ状の部分を支持部１ａとする。
【００１１】
分電盤には基台にねじ固定部３を形成する。支持具１の支持部１ａとは反対側の端部１ｂをねじ固定部３にねじ締めにて固定する。容易に取り付けができるため、例えば、図２に示すように、支持部１ａを下側にして下側から電線２や樹脂管を支持する場合も、支持具１を返して付け変えるだけである。
【００１２】
支持具１は可撓性であるため、自在に変形または向きの変更ができるので、例えば、図３に示すように、分電盤の内機に邪魔にならない位置で電線２や樹脂管を支持できるように、支持具１の支持部１ａの向きを容易に変更することができる。
【００１３】
本発明の請求項２に係る配線や配管の支持方法の実施例を図４〜図６の添付図面に基づいて説明する。
【００１４】
分電盤４のブレーカ等の機器５が載置される基台４ａには、機器に接続される電線６が挿通される入出線孔７が設けられている。入出線孔７の近傍には開口８を設けると共に、開口８近傍には補強リブ９を形成する。開口８に結束バンド１０が挿通可能であり、分電盤４への配線や配管を結束バンド１０により結束する。開口８を結束バンド挿通孔とすることで、結束バンド１０を固定するために別部品を取り付ける必要がなくなる。結束バンド１０は、端部に留め部１０ａを形成し、配線や配管を結束したあと、留め部１０ａと反対側の端部を留め部１０ａに差し込む。
【００１５】
開口８の裏面周縁は、凹部１１を形成する。結束バンド１０を開口８に挿通したときに、分電盤４の基台４ａ裏面では結束バンド１０が凹部１１に収められ、突出しないようにしている。結束バンド１０によって配線や配管が結束、支持されるため、分電盤４内で、配線や配管を収まりよく収納することができる。
【００１６】
【発明の効果】
以上述べたように、本発明に係る支持具は、分電盤の基台にはねじ固定部を設け、配線や配管を可撓性材により結束または支持可能に湾曲させて形成し、ねじ固定部にてねじ止め固定するため、容易に着脱できると共に、様々なサイズの電線や管を結束、支持することができる。さらに、ねじ止め固定後にも、任意の方向へ支持部を向けることができ、作業が楽にできる。
【００１７】
分電盤の基台には開口を設けると共に開口周縁部には補強リブを形成し、開口に結束バンドを挿通し、基台の裏面には結束バンドを突出させないために凹部を形成し、結束バンドで電線や配管を結束するため、容易に配線や配管の結束作業が行えると共に、分電盤内で配線や配管が収まりよく収納することができる。
【図面の簡単な説明】
【図１】本発明に係る配線や配管の支持方法を示す説明図である。
【図２】本発明に係る支持具の変形実施例を示す説明図である。
【図３】本発明に係る支持具の変形実施例を示す説明図である。
【図４】本発明の請求項２に係る配線や配管の支持方法を示す説明図である。
【図５】図４における配線や配管の支持方法を示す要部拡大図である。
【図６】図５における要部断面図である。
【図７】従来技術における配線配管の支持方法を示す説明図である。
【図８】従来技術における配管方法を示す説明図である。
【符号の説明】
１　　　支持具
１ａ　　支持部
２　　　電線
３　　　ねじ固定部
４　　　分電盤
４ａ　　基台
５　　　機器
６　　　電線
７　　　入出線孔
８　　　開口
９　　　補強リブ
１０　　結束バンド
１０ａ　留め部
１１　　凹部
【図１】
2004088879.tif 000003
【図２】
2004088879.tif 000004
【図３】
2004088879.tif 000005
【図４】
2004088879.tif 000006
【図５】
2004088879.tif 000007
【図６】
2004088879.tif 000008
【図７】
2004088879.tif 000009
【図８】
2004088879.tif 000010